(57)【要約】【課題】モノクロ画像の色温度をカラー画像の色温度と独立に調整可能な医用画像診断装置を提供する。【解決手段】操作者は、操作部（２０）のモノクロ画像用色温度表示値を見ながら、モノクロ画像用色温度設定ボタンを操作して、所望のモノクロ画像用色温度を設定する。このモノクロ画像用色温度の設定に応じてＢ／Ｍ用色温度調整ＬＵＴ（１４）の内容が変更される。【効果】カラー画像用色温度と独立にモノクロ画像用色温度を操作者が調整可能である。これにより、モノクロ画像の視認性とカラー画像の視認性をそれぞれ独立に高めることが出来る。【選択図】図１
2008148956.tif 000002
【特許請求の範囲】
【請求項１】
被検体を撮影して得られたデータからモノクロ画像用色温度に合わせたモノクロ画像データを作成するモノクロ画像データ作成部と、被検体を撮影して得られたデータからカラー画像用色温度に合わせたカラー画像データを作成するカラー画像データ作成部と、前記カラー画像用色温度と独立に前記モノクロ画像用色温度を操作者が調整可能とする色温度調整部と、前記モノクロ画像データを基にモノクロ画像を表示すると共に前記カラー画像データを基にカラー画像を表示するモニタ部とを具備したことを特徴とする医用画像診断装置。
【請求項２】
請求項１に記載の医用画像診断装置において、前記色温度調整部は、前記モノクロ画像用色温度を操作者が設定するためのモノクロ画像用色温度設定部であることを特徴とする医用画像診断装置。
【請求項３】
請求項２に記載の医用画像診断装置において、前記カラー画像用色温度を操作者が設定するためのカラー画像用色温度設定部を具備したことを特徴とする医用画像診断装置。
【請求項４】
請求項２または請求項３に記載の医用画像診断装置において、前記モニタ部で表示する画像の色温度を操作者が設定するためのモニタ部色温度設定部を具備したことを特徴とする医用画像診断装置。
【請求項５】
請求項１に記載の医用画像診断装置において、前記色温度調整部は、前記カラー画像用色温度を操作者が設定するためのカラー画像用色温度設定部と、前記モニタ部で表示する画像の色温度を操作者が設定するためのモニタ部色温度設定部とからなることを特徴とする医用画像診断装置。
【請求項６】
請求項１から請求項５のいずれかに記載の医用画像診断装置において、該医用画像診断装置が超音波診断装置であり、前記モノクロ画像データがＢモード画像データ、Ｍモード画像データ、Ｄモード画像データであり、これらに前記モノクロ画像用色温度が共通であることを特徴とする医用画像診断装置。
【請求項７】
請求項１から請求項５のいずれかに記載の医用画像診断装置において、該医用画像診断装置が超音波診断装置であり、前記モノクロ画像データがＢモード画像データ、Ｍモード画像データ、Ｄモード画像データの少なくとも一つであり、これらに対応する前記モノクロ画像用色温度が独立であることを特徴とする医用画像診断装置。
【請求項８】
請求項６に記載の医用画像診断装置において、前記カラー画像データがＣＦＭ画像データであることを特徴とする医用画像診断装置。
【発明の詳細な説明】
【技術分野】
【０００１】
本発明は、医用画像診断装置に関し、さらに詳しくは、モノクロ画像の色温度をカラー画像の色温度と独立に調整可能な医用画像診断装置に関する。
【背景技術】
【０００２】
従来、超音波画像の色温度を操作者が調整可能な超音波診断装置が知られている（例えば特許文献１参照。）。
【特許文献１】特開平１１−２９０３１９号公報（［００２７］）
【発明の開示】
【発明が解決しようとする課題】
【０００３】
上記従来の超音波診断装置では、モノクロ画像の色温度とカラー画像の色温度とを区別しておらず、操作者が色温度を変更すると、モノクロ画像とカラー画像の両方が影響を受けていた。
しかし、色温度を調整してモノクロ画像の視認性を高めたときに、カラー画像の視認性が低下してしまうことがある問題点があった。
そこで、本発明の目的は、モノクロ画像の色温度をカラー画像の色温度と独立に調整可能な医用画像診断装置を提供することにある。
【課題を解決するための手段】
【０００４】
第１の観点では、本発明は、被検体を撮影して得られたデータからモノクロ画像用色温度に合わせたモノクロ画像データを作成するモノクロ画像データ作成部と、被検体を撮影して得られたデータからカラー画像用色温度に合わせたカラー画像データを作成するカラー画像データ作成部と、前記カラー画像用色温度と独立に前記モノクロ画像用色温度を操作者が調整可能とする色温度調整部と、前記モノクロ画像データを基にモノクロ画像を表示すると共に前記カラー画像データを基にカラー画像を表示するモニタ部とを具備したことを特徴とする医用画像診断装置を提供する。
上記第１の観点による医用画像診断装置では、色温度調整部により、カラー画像用色温度と独立にモノクロ画像用色温度を操作者が調整可能である。これにより、カラー画像の視認性に影響を与えずに、モノクロ画像の視認性を高めることが出来る。
【０００５】
第２の観点では、本発明は、前記第１の観点による医用画像診断装置において、前記色温度調整部は、前記モノクロ画像用色温度を操作者が設定するためのモノクロ画像用色温度設定部であることを特徴とする医用画像診断装置を提供する。
上記第２の観点による医用画像診断装置では、モノクロ画像用色温度設定部により、モノクロ画像用色温度を操作者が直接的に設定できる。
【０００６】
第３の観点では、本発明は、前記第２の観点による医用画像診断装置において、前記カラー画像用色温度を操作者が設定するためのカラー画像用色温度設定部を具備したことを特徴とする医用画像診断装置を提供する。
上記第３の観点による医用画像診断装置では、カラー画像用色温度設定部により、カラー画像用色温度を操作者が直接的に設定できる。
【０００７】
第４の観点では、本発明は、前記第２または前記第３の観点による医用画像診断装置において、前記モニタ部で表示する画像の色温度を操作者が設定するためのモニタ部色温度設定部を具備したことを特徴とする医用画像診断装置を提供する。
上記第４の観点による医用画像診断装置では、モニタ部色温度設定部により、モニタ部の色温度を操作者が直接的に設定できる。
【０００８】
第５の観点では、本発明は、前記第１の観点による医用画像診断装置において、前記色温度調整部は、前記カラー画像用色温度を操作者が設定するためのカラー画像用色温度設定部と、前記モニタ部で表示する画像の色温度を操作者が設定するためのモニタ部色温度設定部とからなることを特徴とする医用画像診断装置を提供する。
上記第５の観点による医用画像診断装置では、モノクロ画像の色温度が適当になるようにモニタ部色温度設定部によりモニタ部の色温度を操作者が設定し、次にカラー画像の色温度が適当になるようにカラー画像用色温度設定部によりカラー画像の色温度を操作者が設定すれば、結果的に、カラー画像用色温度と独立にモノクロ画像用色温度を操作者が調整可能になる。
【０００９】
第６の観点では、本発明は、前記第１から前記第５のいずれかの観点による医用画像診断装置において、該医用画像診断装置が超音波診断装置であり、前記モノクロ画像データがＢモード画像データ、Ｍモード画像データ、Ｄモード画像データであり、これらに前記モノクロ画像用色温度が共通であることを特徴とする医用画像診断装置を提供する。
上記第６の観点による医用画像診断装置では、超音波診断装置におけるモノクロ画像であるＢモード画像、Ｍモード画像、Ｄモード画像の色温度を操作者が調整可能になる。これにより、カラー画像の視認性に影響を与えずに、Ｂモード画像、Ｍモード画像、Ｄモード画像の視認性を高めることが出来る。
【００１０】
第７の観点では、本発明は、前記第１から前記第５のいずれかの観点による医用画像診断装置において、該医用画像診断装置が超音波診断装置であり、前記モノクロ画像データがＢモード画像データ、Ｍモード画像データ、Ｄモード画像データの少なくとも一つであり、これらに対応する前記モノクロ画像用色温度が独立であることを特徴とする医用画像診断装置を提供する。
上記第７の観点による医用画像診断装置では、超音波診断装置におけるモノクロ画像であるＢモード画像用色温度、Ｍモード画像用色温度、Ｄモード画像用色温度をそれぞれ独立に操作者が調整可能になる。これにより、Ｂモード画像、Ｍモード画像、Ｄモード画像のそれぞれの視認性を独立に高めることが出来る。
【００１１】
第８の観点では、本発明は、前記第６の観点による医用画像診断装置において、前記カラー画像データがＣＦＭ画像データであることを特徴とする医用画像診断装置を提供する。
上記第８の観点による医用画像診断装置では、超音波診断装置におけるカラー画像であるＣＦＭ画像の視認性に影響を与えずに、Ｂモード画像、Ｍモード画像、Ｄモード画像の視認性を高めることが出来る。
【発明の効果】
【００１２】
本発明の医用画像診断装置によれば、カラー画像（例えば超音波診断装置におけるＣＦＭ画像）の視認性に影響を与えずに、モノクロ画像（例えば超音波診断装置におけるＢモード画像）の視認性を高めることが出来る。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係る超音波診断装置１０１を示す全体構成図である。
この超音波診断装置１０１は、超音波探触子１と、超音波診断装置本体１０Ａと、モニタ部３０とから構成されている。
【００１５】
超音波診断装置本体１０Ａは、超音波探触子１を駆動して超音波を被検体内へ送信すると共に被検体内からエコーを受信して受信信号を出力することを音線方向を変えて繰り返す送受信部１１と、受信信号に基づいてＢモード画像データやＭモード画像データやＤモード画像データ（以下、Ｂ／Ｍデータという）を作成するＢ／Ｍ処理部１２と、Ｂ／ＭデータをＢ／Ｍ用ガンマ特性に基づいてデータ変換するためのＢ／Ｍ用γカーブＬＵＴ（Look Up Table）１３と、Ｂ／Ｍ用ガンマ特性に基づいてデータ変換したＢ／ＭデータをＢ／Ｍ用色温度特性に基づいてデータ変換するためのＢ／Ｍ用色温度調整ＬＵＴ１４と、受信信号に基づいてＣＦＭ画像データ（以下、ＣＦＭデータという）を作成するＣＦＭ処理部１５と、ＣＦＭデータをＣＦＭ用ガンマ特性に基づいてデータ変換するためのＣＦＭ用γカーブＬＵＴ１６と、ＣＦＭ用ガンマ特性に基づいてデータ変換したＣＦＭデータをＣＦＭ用色温度特性に基づいてデータ変換するためのＣＦＭ用色温度調整ＬＵＴ１７と、Ｂ／Ｍ用色温度特性に基づいてデータ変換したＢ／ＭデータとＣＦＭ用色温度特性に基づいてデータ変換したＣＦＭデータを合成し表示用データとしてモニタ部３０へ出力するインタフェース１８と、全体を制御する制御部１９と、操作者が操作する操作部２０とを具備している。
【００１６】
モニタ部３０は、超音波診断装置本体１０Ａから入力された表示用データをモニタ部ガンマ特性に基づいてデータ変換するγカーブＬＵＴ３１と、モニタ部ガンマ特性に基づいてデータ変換した表示用データをモニタ部色温度特性に基づいてデータ変換するための色温度調整ＬＵＴ３２と、モニタ部色温度特性に基づいてデータ変換した表示用データに基づいてＢモード画像やＭモード画像やＤモード画像やＣＦＭ画像を表示するＬＣＤ３３とを具備している。
【００１７】
図２に示すように、操作者は、操作部２０のモノクロ画像用色温度表示値２１を見ながら、モノクロ画像用色温度設定ボタン２２を操作して、所望のモノクロ画像用色温度を設定できる。このモノクロ画像用色温度の設定に応じてＢ／Ｍ用色温度調整ＬＵＴ１４の内容が変更される。
また、操作者は、操作部２０のカラー画像用色温度表示値２３を見ながら、カラー画像用色温度設定ボタン２４を操作して、所望のカラー画像用色温度を設定できる。このカラー画像用色温度の設定に応じてＣＦＭ用色温度調整ＬＵＴ１７の内容が変更される。
さらに、操作者は、操作部２０のモニタ部色温度表示値２５を見ながら、モニタ部色温度設定ボタン２６を操作して、所望のモニタ部色温度を設定できる。このモニタ部色温度の設定に応じて色温度調整ＬＵＴ３２の内容が変更される。
【００１８】
図３の（ａ）に示すように、例えばＢモード画像は、モノクロ画像用色温度に応じてデータ変換されたＢモード画像データに基づく表示となる。
図３の（ｂ）に示すように、例えばカラードプラ画像は、カラー画像用色温度に応じてデータ変換されたカラードプラ画像データに基づく表示となる。
図３の（ｃ）に示すように、Ｂモード画像とカラードプラ画像とを重ねて表示する場合でも、Ｂモード画像はモノクロ画像用色温度に応じてデータ変換されたＢモード画像データに基づく表示となり、カラードプラ画像はカラー画像用色温度に応じてデータ変換されたカラードプラ画像データに基づく表示となる。
【００１９】
実施例１の超音波診断装置１０１によれば次の効果が得られる。
（１）モノクロ画像用色温度設定ボタン２２およびＢ／Ｍ用色温度調整ＬＵＴ１４により、カラー画像用色温度と独立にモノクロ画像用色温度を操作者が調整可能である。これにより、カラー画像の視認性に影響を与えずに、モノクロ画像の視認性を高めることが出来る。
（２）カラー画像用色温度設定ボタン２４およびＣＦＭ用色温度調整ＬＵＴ１７により、モノクロ画像用色温度と独立にカラー画像用色温度を操作者が調整可能である。これにより、モノクロ画像の視認性に影響を与えずに、カラー画像の視認性を高めることが出来る。
（３）モニタ部色温度設定ボタン２６および色温度調整ＬＵＴ３２により、モニタ部３０の色温度を操作者が調整可能である。これにより、モノクロ画像とカラー画像の視認性を同時に調整することが出来る。
【実施例２】
【００２０】
図４に、実施例２に係る超音波診断装置１０２を示す。
この超音波診断装置１０２は、実施例１に係る超音波診断装置１０１からＣＦＭ用色温度調整ＬＵＴ１７を省略したものである。
【００２１】
実施例２の超音波診断装置１０２では、カラー画像の視認性を高めるようにモニタ部３０の色温度を調整し、次いでモノクロ画像の視認性を高めるようにモノクロ画像用色温度を調整すればよい。
【実施例３】
【００２２】
図５に、実施例３に係る超音波診断装置１０３を示す。
この超音波診断装置１０３は、実施例１に係る超音波診断装置１０１からＢ／Ｍ用色温度調整ＬＵＴ１４を省略したものである。
【００２３】
実施例３の超音波診断装置１０３では、モノクロ画像の視認性を高めるようにモニタ部３０の色温度を調整し、次いでカラー画像の視認性を高めるようにカラー画像用色温度を調整すればよい。結果的に、カラー画像用色温度と独立にモノクロ画像用色温度を操作者が調整可能となる。
【実施例４】
【００２４】
図６に、実施例４に係る超音波診断装置１０４を示す。
この超音波診断装置１０４は、実施例１に係る超音波診断装置１０１から色温度調整ＬＵＴ３２を省略したものである。
【００２５】
実施例４の超音波診断装置１０４では、モノクロ画像用色温度とカラー画像用色温度を独立に調整可能となる。
【実施例５】
【００２６】
Ｂ／Ｍ用γカーブＬＵＴ１３とＢ／Ｍ用色温度調整ＬＵＴ１４とを１つのＬＵＴとしてもよい。同様に、ＣＦＭ用γカーブＬＵＴ１６とＣＦＭ用色温度調整ＬＵＴ１７とを１つのＬＵＴとしてもよい。
【実施例６】
【００２７】
Ｂ／Ｍ用γカーブＬＵＴ１３とＢ／Ｍ用色温度調整ＬＵＴ１４の処理順を入れ替えてもよい。同様に、ＣＦＭ用γカーブＬＵＴ１６とＣＦＭ用色温度調整ＬＵＴ１７の処理順を入れ替えてもよい。
【実施例７】
【００２８】
Ｂ／Ｍ用γカーブＬＵＴ１３の内容が変更された場合に、それに応じてＢ／Ｍ用色温度調整ＬＵＴ１４の内容を変更するようにしてもよい。同様に、ＣＦＭ用γカーブＬＵＴ１６の内容が変更された場合に、それに応じてＣＦＭ用色温度調整ＬＵＴ１７の内容を変更するようにしてもよい。
【実施例８】
【００２９】
Ｂ／Ｍ用γカーブＬＵＴ１３とＢ／Ｍ用色温度調整ＬＵＴ１４の一方または両方の機能をＤＳＣ（Digital Scan Converter）機能の中で行ってもよい。同様に、ＣＦＭ用γカーブＬＵＴ１６とＣＦＭ用色温度調整ＬＵＴ１７の一方または両方の機能をＤＳＣ（Digital Scan Converter）機能の中で行ってもよい。
【産業上の利用可能性】
【００３０】
医用画像診断装置におけるモノクロ画像とカラー画像の視認性を改善できる。
【図面の簡単な説明】
【００３１】
【図１】実施例１に係る超音波診断装置を示す全体構成図である。
【図２】色温度設定部を示す模式図である。
【図３】色温度の異なるＢモード画像とカラードプラ画像を示す模式図である。
【図４】実施例２に係る超音波診断装置を示す全体構成図である。
【図５】実施例３に係る超音波診断装置を示す全体構成図である。
【図６】実施例４に係る超音波診断装置を示す全体構成図である。
【符号の説明】
【００３２】
１                  超音波探触子
１０Ａ〜１０Ｃ      超音波診断装置本体
１１                送受信部
１２                Ｂ／Ｍ処理部
１３                Ｂ／Ｍ用ガンマカーブＬＵＴ
１４                Ｂ／Ｍ用色温度調整ＬＵＴ
１５                ＣＦＭ処理部
１６                ＣＦＭ用ガンマカーブＬＵＴ
１７                ＣＦＭ用色温度調整ＬＵＴ
１８                インタフェース
１９                制御部
２０                操作部
２１                モノクロ画像用色温度表示値
２２                モノクロ画像用色温度設定ボタン
２３                カラー画像用色温度表示値
２４                カラー画像用色温度設定ボタン
２５                モニタ部色温度表示値
２６                モニタ部色温度設定ボタン
１０１〜１０４      超音波診断装置
【図１】
2008148956.tif 000003
【図２】
2008148956.tif 000004
【図３】
2008148956.tif 000005
【図４】
2008148956.tif 000006
【図５】
2008148956.tif 000007
【図６】
2008148956.tif 000008